(57)【特許請求の範囲】
【請求項１】
（成分Ａ）亜リン酸、亜リン酸水素カリウム及び亜リン酸カリウムの群から選ばれる少なくとも１種及び（成分Ｂ）亜リン酸のカルシウム塩を含有する粒状肥料組成物。
【請求項２】
成分Ａ、成分Ｂ、結合剤及び固体担体を含有してなる請求項１に記載の粒状肥料組成物。
【請求項３】
成分Ｂが亜リン酸水素カルシウム又は亜リン酸カルシウムである請求項１又は２に記載の粒状肥料組成物。
【請求項４】
固体担体がベントナイト、クレー、硫酸カルシウム及び炭酸カルシウムから選ばれる少なくとも１種である請求項２に記載の粒状肥料組成物。
【請求項５】
成分Ａと成分Ｂとの配合割合が、成分Ｂ １重量部に対して、成分Ａが０．１〜１０重量部である請求項１〜４のいずれかに記載の粒状肥料組成物。
【請求項６】
成分Ａ、成分Ｂ、結合剤及び固体担体を混練し、押し出し造粒して得られる請求項１に記載の粒状肥料組成物。
【請求項７】
請求項１〜６のいずれかに記載の粒状肥料組成物を作物の定植前又は定植時に栽培土壌又は培地に施肥する、粒状肥料組成物の使用方法。
【請求項８】
請求項１〜６のいずれかに記載の粒状肥料組成物を作物生育過程で追肥として栽培土壌又は培地に施肥する、粒状肥料組成物の使用方法。
【発明の詳細な説明】
【技術分野】
【０００１】
本発明は、粒状肥料組成物及びその使用方法に関する。
【背景技術】
【０００２】
リンは、窒素及びカリウムと共に肥料の三大栄養素の一つであり、作物の全生長ステージを通じて大量に使用することが必要とされる。近年、亜リン酸及びその塩を水溶液として、作物に散布することで作物の増収や品質向上等の効果が得られることが報告され（特許文献１）、今日では亜リン酸塩及びその塩の水溶液が葉面散布肥料として農業従事者に使用されている。
【０００３】
しかしながら、亜リン酸塩及びその塩の水溶液からなる葉面散布肥料は、気象条件(降雨、風等) に影響されて適時適期に散布ができなかったり、ドリフト（飛散）により近隣住宅地等への環境汚染が懸念される。また、亜リン酸塩が本質的に有している、作物に対する薬害等の障害の懸念から、使用時期及び施肥量（濃度）に制限があり、所望の肥料効果を得るためには一定の期間に亘って何回も散布する必要があり、煩雑さの点で問題がある。更に、亜リン酸塩を散布するに当たっては、比較的低濃度の散布液とする必要があるため、使用に当たり大量の水で希釈しなければならず、それに伴い多量の水溶液を散布しなければならず、作業者への負荷の問題が生じている。
【０００４】
また、特許文献１においては、亜リン酸塩を土壌に処理することが示唆されているが、水溶液の形態での土壌処理は、亜リン酸の塩が易溶性であるため降雨によって流亡しやすく、作物が亜リン酸の塩を有効に利用することができない。一方、流亡して損失する量を考慮して必要量（高濃度の亜リン酸塩水溶液）を一度に施肥すると、やはり作物に薬害が生じ（後記比較例参照）、前記した問題を解消することができない。
【０００５】
以上のことから、亜リン酸又はその塩を土壌に使用することは、当業者にとっては不適当であると考えられていた。
【特許文献１】米国特許第５５１４２００号明細書
【発明の開示】
【発明が解決しようとする課題】
【０００６】
本発明は、亜リン酸又はその塩を含有する肥料であって、優れた肥料効果を発揮させると共に、薬害等の悪影響を生じさせずに必要量を一度に施肥することを可能とする肥料組成物を提供することを課題とする。
【０００７】
本発明は、基肥又は追肥として使用でき、長期にわたる肥料効果の発現によって、作業者への負荷を軽減できる肥料組成物を提供することを課題とする。
【課題を解決するための手段】
【０００８】
本発明者らは、前記課題を解決するために鋭意研究を重ねて来た。その結果、亜リン酸のカルシウム塩と亜リン酸又は亜リン酸のカリウム塩とを併用することで、優れた肥料効果を発現することを見い出した。これら亜リン酸及び／又はその塩を散布肥料ではなく、粒状肥料組成物とすることにより、施肥量を増加させても薬害を生じず、長期にわたる肥料効果を実現でき、作業者の手間、コスト等を軽減することができることを見い出した。
このような知見に基づき完成されたものである。
【０００９】
本発明は、下記項１〜８に示す粒状肥料組成物及びその使用方法を提供する。
項１．（成分Ａ）亜リン酸、亜リン酸水素カリウム及び亜リン酸カリウムの群から選ばれる少なくとも１種及び（成分Ｂ）亜リン酸のカルシウム塩を含有する粒状肥料組成物。
項２．成分Ａ、成分Ｂ、結合剤及び固体担体を含有してなる項１に記載の粒状肥料組成物。
項３．成分Ｂが亜リン酸水素カルシウム又は亜リン酸カルシウムである項１又は２に記載の粒状肥料組成物。
項４．固体担体がベントナイト、クレー、硫酸カルシウム及び炭酸カルシウムから選ばれる少なくとも１種である項２に記載の粒状肥料組成物。
項５．成分Ａと成分Ｂとの配合割合が、成分Ｂ  １重量部に対して、成分Ａが０．１〜１０重量部である項１〜４のいずれかに記載の粒状肥料組成物。
項６．成分Ａ、成分Ｂ、結合剤及び固体担体を混練し、押し出し造粒して得られる粒状肥料組成物。
項７．項１〜６のいずれかに記載の粒状肥料組成物を作物の定植前又は定植時に栽培土壌又は培地に施肥する、粒状肥料組成物の使用方法。
項８．項１〜６のいずれかに記載の粒状肥料組成物を作物生育過程で追肥として栽培土壌又は培地に施肥する、粒状肥料組成物の使用方法。
【００１０】
更に本発明は、以下の態様も含む。
項９．亜リン酸及び亜リン酸のカルシウム塩を含有する粒状肥料組成物。
項１０．亜リン酸水素カリウム及び亜リン酸のカルシウム塩を含有する粒状肥料組成物。
項１１．亜リン酸カリウム及び亜リン酸のカルシウム塩を含有する粒状肥料組成物。
項１２．亜リン酸水素カリウム、亜リン酸カリウム及び亜リン酸のカルシウム塩を含有する粒状肥料組成物。
項１３．亜リン酸のカルシウム塩が亜リン酸カルシウムである項９乃至１２に記載の粒状肥料組成物。
項１４．更に結合剤及び固体担体を含有してなる項９乃至１３に記載の粒状肥料組成物。
項１５．固体担体がベントナイトと炭酸カルシウムである項２又は１４に記載の粒状肥料組成物。
項１６．固体担体がベントナイトと硫酸カルシウムである項２又は１４に記載の粒状肥料組成物。
項１７．結合剤がα化デンプンである項２又は１４に記載の粒状肥料組成物。
【００１１】
本発明の粒状肥料組成物は、亜リン酸、亜リン酸水素カリウム（ＫＨＰＨＯ3）及び亜リン酸カリウム（Ｋ2ＰＨＯ3）から選ばれる少なくとも１種（成分Ａ）と亜リン酸のカルシウム塩（成分Ｂ）とを含有する。
【００１２】
本発明において使用される亜リン酸のカルシウム塩としては、亜リン酸水素カルシウム（Ｃａ（Ｈ2ＰＯ3）2）又は亜リン酸カルシウム（ＣａＰＨＯ3）であり、亜リン酸カルシウムが好ましい。
【００１３】
本発明においては、亜リン酸のカルシウム塩（成分Ｂ）を必須成分とし、亜リン酸、亜リン酸水素カリウム及び亜リン酸カリウムから選ばれる少なくとも１種（成分Ａ）と組み合わせて使用する。組み合わせとしては、亜リン酸のカルシウム塩と亜リン酸、亜リン酸のカルシウム塩と亜リン酸水素カリウム、亜リン酸のカルシウム塩と亜リン酸カリウム、亜リン酸のカルシウム塩と亜リン酸と亜リン酸水素カリウム、亜リン酸のカルシウム塩と亜リン酸と亜リン酸カリウム、亜リン酸のカルシウム塩と亜リン酸水素カリウムと亜リン酸カリウム、亜リン酸のカルシウム塩と亜リン酸と亜リン酸水素カリウムと亜リン酸カリウムが挙げられるが、亜リン酸のカルシウム塩と亜リン酸、亜リン酸のカルシウム塩と亜リン酸水素カリウム、亜リン酸のカルシウム塩と亜リン酸カリウム、亜リン酸のカルシウム塩と亜リン酸水素カリウムと亜リン酸カリウムの組み合わせが肥料効果、粒状肥料組成物の安定性の観点から好ましく、中でも亜リン酸のカルシウム塩と亜リン酸、亜リン酸のカルシウム塩と亜リン酸水素カリウム、亜リン酸のカルシウム塩と亜リン酸水素カリウムと亜リン酸カリウムの組み合わせがより好ましく、亜リン酸のカルシウム塩と亜リン酸水素カリウムの組み合わせが特に好ましい。
【００１４】
成分Ａと成分Ｂとの配合割合は、成分Ｂ  １重量部に対して、成分Ａが０．１〜１０重量部、好ましくは０．２〜５重量部、更に好ましくは０．５〜１重量部とすればよい。
【００１５】
成分Ａ及び成分Ｂの配合量は、それらの合計量が粒状肥料組成物全量に対して１〜７０重量％、好ましくは１０〜５０重量％とすればよい。
【００１６】
本発明の粒状肥料組成物は、成分Ａ、成分Ｂ、結合剤及び固体担体を含有する。
【００１７】
本発明において使用される結合剤としては、この分野で使用されている公知の結合剤を広く使用することができ、例えば、セルロース、メチルセルロース、エチルセルロース、カルボキシメチルセルロース、ヒドロキシメチルセルロース、ヒドロキシエチルセルロース、ヒドロキシプロピルセルロース、デンプン、α化デンプン、カルボキシメチルデンプン、プルラン、アルギン酸ナトリウム、アルギン酸アンモニウム、デキストラン、マンナン、ペクチン、トラガントガム、マンニット、ソルビトール、アルギン酸プロピレングリコールエステル、グアーガム、ローカストビーンガム、アラビアゴム、キサンタンガム等の糖質類；ゼラチン、カゼイン等の蛋白質類；ポリビニルアルコール、ポリエチレンオキサイド、ポリエチレングリコール、ポリアクリル酸ナトリウム、ポリビニルピロリドン等の合成ポリマー類等が挙げられる。また、デンプンの加水分解によって得られるデキストリン、各種の転化糖ないし異性化糖、具体的にはグルコース、フラクトース、マルトース、シュークロース、更にはラクトース等の単糖類、二糖類、オリゴ糖類等の糖類も、結合剤として使用できる。
【００１８】
これら結合剤の中では、糖質類又は合成ポリマー類が好ましい。糖質類としては、カルボキシメチルセルロース、ヒドロキシメチルセルロース、ヒドロキシエチルセルロース、ヒドロキシプロピルセルロース、α化デンプン等が好ましく、合成ポリマーとしては、ポリビニルアルコール等が好ましく、これらの中でもα化デンプンが特に好ましい。
【００１９】
これらの結合剤は、１種単独で又は２種類以上を混合して使用できる。
【００２０】
結合剤は、粒状肥料組成物全量に対して、通常０．０１〜１０重量％、好ましくは０．１〜５重量％になるように配合される。
【００２１】
本発明において使用される固体担体としては、この分野で使用されている公知の固体担体を広く使用することができ、例えば、ベントナイト、クレー、タルク、炭酸ナトリウム、炭酸カルシウム、ジークライト、セリサイト、硫酸カルシウム（石膏）、酸性白土、珪石、珪藻土、軽石、ゼオライト、バーミキュライト、ホワイトカーボン等の無機担体；及び鋸屑、藁、パルプ、籾殻、糠、ふすま、コーンコブ等の有機担体が挙げられる。これらの中でも無機担体が好ましく、無機担体の中でもベントナイト、クレー、炭酸カルシウム、硫酸カルシウムが好ましく、肥料効果の観点から炭酸カルシウム及び硫酸カルシウムが特に好ましい。また、粒状肥料組成物の造粒性及び性状の観点からベントナイトを使用するのが特に好ましい。これらの固体担体は、１種単独で又は２種類以上を混合して使用できる。
【００２２】
固体担体は、粒状肥料組成物全量に対して、通常１０〜９０重量％、好ましくは３０〜８０重量％になるように配合される。
【００２３】
本発明の粒状肥料組成物には、必要に応じてその他の成分を配合してもよい。その他の成分としては、硫安、硝安、尿素、塩安等の化学肥料、有機肥料、動物排泄物発酵産物、堆肥等の公知の肥料成分、ワックス等の徐放性向上剤、アルキル硫酸エステル塩類、アリールスルホン酸塩類、ポリオキシエチレングリコールエーテル類、多価アルコールエステル類、ジアルキルスルホサクシネート類、ポリカルボン酸類等の界面活性剤、防腐防黴剤、安定化剤、効力増強剤、香料、染料、顔料、着色剤、滑り剤等の各種添加剤を例示できる。
【００２４】
また、本発明の粒状肥料組成物には、本発明で使用する成分Ａ及び成分Ｂ以外の亜リン酸塩を肥料効果及び粒状肥料組成物の性状を損なわない限り、肥料成分又は微量元素の供給源として配合してもよい。このような亜リン酸塩としては、例えば、亜リン酸水素ナトリウム（ＮａＨ2ＰＯ3）、亜リン酸水素マグネシウム（Ｍｇ（Ｈ2ＰＯ3）2）、亜リン酸水素アンモニウム（（ＮＨ4）ＨＰＨＯ3）、亜リン酸ナトリウム（Ｎａ2ＰＨＯ3）、亜リン酸マグネシウム（ＭｇＰＨＯ3）、亜リン酸アンモニウム（（ＮＨ4）2ＰＨＯ3）、亜リン酸マンガン（ＭｎＰＨＯ3）、亜リン酸鉄（II）（ＦｅＰＨＯ3）、亜リン酸鉄（III）（Ｆｅ2（ＰＨＯ3）3）、亜リン酸銅（ＣｕＰＨＯ3）等を挙げることができる。
【００２５】
本発明の粒状肥料組成物は、例えば、以下に示す方法で製造される。
【００２６】
本発明の粒状肥料組成物は、特に限定されないが、例えば、圧縮造粒法、押し出し造粒法、撹拌造粒法、転動造粒法、流動層造粒法等の通常の造粒方法に従い製造される。これらの造粒方法の中では、操作の簡便性、経済性等の観点から押し出し造粒法が好ましい。
【００２７】
押し出し造粒法の具体例を以下に示す。
【００２８】
成分Ａ、成分Ｂ、結合剤、固体担体及び必要に応じてその他の成分を、必要に応じてピンミル、ハンマーミル、ボールミル、ジェットミル等の粉砕機を用いて粉砕した後、ニーダー等に加えて混合する。なお、成分Ａは、水溶液の状態で添加してもよい。得られた混合物に適量の水を加え、混練して混練物を作製する。混練時間は、混練物の量にもよるが、通常数分から数十分程度である。該混練物を、例えばバスケット型押し出し機、スクリュー型押し出し機等の押し出し造粒機を用いて造粒し、粒状肥料組成物を作製する。造粒時に用いられるスクリーンの開口径は通常０．３〜５ｍｍ程度であり、工業的生産、作業性等の観点から０．５〜３ｍｍ程度が好ましい。次いで該粒状肥料組成物を、例えば流動層乾燥機等の乾燥機を用いて、通常室温〜１５０℃で乾燥することにより、本発明の粒状肥料組成物が製造できる。
【００２９】
このようにして得られた本発明の粒状肥料組成物の形状は、円筒であり、その大きさは、特に制限されるものではないが、直径は、通常０．３〜５ｍｍ、好ましくは０．５〜３ｍｍ、長さは、通常０．１〜１０ｍｍ、好ましくは０．５〜５ｍｍである。
【００３０】
本発明の粒状肥料組成物は、そのまま使用することができ、作物の栽培土壌又は培地に施用すればよく、基本的には作物の根圏域に存在するように施用すればよい。
【００３１】
本発明の粒状肥料組成物の施肥方法（使用方法）としては、作物の生長状態によって適宜株元に適量を施肥する方法が挙げられるが、基肥として作物の定植前又は定植時に栽培土壌又は培地に施肥する方法を好ましく挙げることができる。
【００３２】
本発明の粒状肥料組成物を、定植前又は定植時に栽培土壌又は培地の全面に施用した後、面積が広い場合にはトラクター等を用いて土壌又は培地と混和させるのが好ましい。
【００３３】
本発明の粒状肥料組成物の使用量としては、亜リン酸又はその塩の含有量等によって適宜設定されるが、Ｐ2Ｏ5換算で１０００ｍ2当たり１〜１２ｋｇ、好ましくは１０００ｍ2当たり３〜６ｋｇとなる量とすればよい。
【００３４】
本発明の粒状肥料組成物は、一般のリン酸質肥料よりも肥料効果の点で優れており、かつ生育が良好で作物に対する薬害を抑制できるという極めて優れた効果を有している。
【発明の効果】
【００３５】
本発明の粒状肥料組成物は、これまで土壌用処理用肥料として実質的に不適当と考えられた亜リン酸又はその塩を、土壌用処理用肥料として使用することが可能になり、作物の優れた生長効果及び長期にわたる肥料効果を発現できる。
【００３６】
また、本発明の粒状肥料組成物は、取扱い性に優れ、施肥作業を容易にすることができる。
【００３７】
本発明の粒状肥料組成物は、土壌中及び水中において良好な崩壊性を有しており、使用した亜リン酸又はその塩のリン成分を適度に作物に提供することができる。この良好な崩壊性は、粒状肥料組成物を長期保管しても損なわれることがない。また、本発明の粒状肥料組成物は、長期にわたる保管期間中に凝結やブロック化も生じない。そのため、本発明の粒状肥料組成物の長期保存が可能になり、流通においても有利である。
【００３８】
本発明の粒状肥料組成物は、固体であり、公知の亜リン酸類の水溶液肥料に比較して、作業者の施肥作業の省力化、即ち水に溶解させる作業を省略できること、水希釈による肥料重量及び体積の増加がないこと、更に必要量を一度に施肥することが可能になり、施肥回数も低減できる等、多大な貢献が期待できる。
【発明を実施するための最良の形態】
【００３９】
以下に実施例を掲げて、本発明をより一層明らかにするが、本発明はこれらに限定されるものではない。
【００４０】
製造例１
亜リン酸又はその塩、結合剤及び固体担体として、以下のものを使用した。
成分Ａ；
（Ａ−１）：亜リン酸（Ｈ3ＰＯ3）
（Ａ−２）：亜リン酸水素カリウム（ＫＨＰＨＯ3）
（Ａ−３）：亜リン酸カリウム（Ｋ2ＰＨＯ3）
成分Ｂ；
（Ｂ−１）：亜リン酸カルシウム（ＣａＨＰＯ3）
結合剤；
（Ｃ−１）：α化澱粉
固体担体；
（Ｄ−１）：ベントナイト
（Ｄ−２）：カオリンクレー
（Ｄ−３）：炭酸カルシウム
（Ｄ−４）：硫酸カルシウム
表１〜表２に記載した配合割合（重量％）で、ニーダーに亜リン酸又はその塩（必要に応じてピンミル、ハンマーミル、ボールミル、ジェットミル等の粉砕機を用いて粉砕して使用した。）、結合剤および固体担体を加えて混合し得られた混合物に適量の水を加え、さらに混練して混練物を作製した。得られた混練物を０．８ｍｍ径のスクリーンを付けたシングルドームグラン（不二パウダル製の押し出し造粒機）にて造粒した後、６０℃で１時間乾燥、篩別し、粒径が０．８ｍｍの粒状肥料組成物１〜１２（以下、それぞれ粒状肥料１〜１２と称す）を得た。
また、表３〜４に記載した配合割合で、上記と同様に操作して比較粒状肥料１〜１５を得た。
【００４１】
【表１】
0005361202.tif 000002
【００４２】
【表２】
0005361202.tif 000003
【００４３】
【表３】
0005361202.tif 000004
【００４４】
【表４】
0005361202.tif 000005
【００４５】
試験例１（薬害試験１）
栽培培地（ヤシガラ（６０％）：砂（２０％）：パーライト（１０％）：鹿沼土（１０％））１０リットルと粒状肥料１２の１８ｇ（Ｐ2Ｏ5換算で７２ｇ／ｍ2に相当）を混和し、ワグネルポット（１／２０００００ｍ2、表面積５００ｃｍ2）に入れ、小松菜幼苗（品種：夏楽天、タキイ種苗株式会社）１株を定植し、十分に潅水させて培地を湿らせた。
【００４６】
一方、比較試験として粒状肥料１２の施肥を行なわず、小松菜幼苗を移植後、市販の亜リン酸液肥（Ｐ2Ｏ5換算３２％）を７．５ｍｌ（Ｐ2Ｏ5換算で７２ｇ／ｍ2に相当）株元に与え、同様に静置した。
【００４７】
その結果、本発明の粒状肥料１２を使用した場合には、苗に何ら薬害を認めなかったが、比較試験の市販亜リン酸液肥を使用した場合には萎れて倒伏した。
【００４８】
試験例２（薬害試験２）
トマト幼苗（品種：桃太朗ヨーク、タキイ種苗株式会社）を用いて試験例１と同様に試験した。
【００４９】
その結果、試験例１と同様に、本発明の粒状肥料１２を使用した場合には、何ら薬害が認められなかったが、比較試験の市販の亜リン酸液肥を使用した場合には、試験例１の小松菜と同様に萎れて、倒伏した。
【００５０】
試験例３（肥料効果試験１）
栽培培地（ヤシガラ（６０％）：砂（２０％）：パーライト（１０％）：鹿沼土（１０％））１０リットルに、粒状肥料１〜１２、比較粒状肥料１〜１５をＰ2Ｏ5換算で３ｋｇ／１０００ｍ2、６ｋｇ／１０００ｍ2又は１２ｋｇ／１０００ｍ2となるように加えて混和し、ワグネルポット（１／２０００００ｍ2、表面積５００ｃｍ2、２５２φ×３００ｍｍ）に入れた。小松菜（品種：夏楽天、タキイ種苗株式会社）の苗１株を定植し、根が活着するまで適宜水を与えた。活着後は液肥を潅水し、３０日間生育させた。
対象として、市販のリン酸質肥料（粒状過リン酸石灰：Ｐ2Ｏ5換算１７．５％）を用い、Ｐ2Ｏ5換算で同量を施肥し、同条件で生育させた。
【００５１】
生育した小松菜の茎葉部と根部のそれぞれの乾物重を測定し、市販のリン酸質肥料での結果を１００としたときの比率を求めた。
【００５２】
結果を表５及び表６に示す。
【００５３】
また、粒状肥料１と比較粒状肥料１、粒状肥料２と比較粒状肥料２、粒状肥料３と粒状肥料３、粒状肥料４と比較粒状肥料４のそれぞれの肥料効果を比較するため、Ｐ2Ｏ5換算６ｋｇ／１０００ｍ2での試験結果（茎葉部乾物重及び根部乾物重）を図１に表した。
更に、粒状肥料２、６、及び１０のＰ2Ｏ5換算６ｋｇ／１０００ｍ2での試験結果（茎葉部乾物重及び根部乾物重）を図２に表した。
【００５４】
【表５】
0005361202.tif 000006
【００５５】
【表６】
0005361202.tif 000007
【００５６】
試験例４（肥料効果試験２）
栽培培地（ヤシガラ（６０％）：砂（２０％）：パーライト（１０％）：鹿沼土（１０％））１０リットルに、粒状肥料１〜１２、比較粒状肥料１〜１５をＰ2Ｏ5換算で３ｋｇ／１０ａ、６ｋｇ／１０００ｍ2又は１２ｋｇ／１０００ｍ2となるように加えて混和し、ワグネルポット（１／２０００００ｍ2、表面積５００ｃｍ2、２５２φ×３００ｍｍ）に入れた。ネギ（品種：鴨頭ネギ、中原採種場株式会社）の苗３株を定植し、根が活着するまで適宜水を与えた。活着後は液肥を潅水し、４０日間生育させた。
対象として、市販のリン酸質肥料（粒状過リン酸石灰：Ｐ2Ｏ5換算１７．５％）を用い、Ｐ2Ｏ5換算で同量を施肥し、同条件で生育させた。
【００５７】
生育したネギの茎葉部と根部のそれぞれの乾物重を測定し、市販のリン酸質肥料での結果を１００としたときの比率を求めた。
【００５８】
結果を表７及び表８に示す。
【００５９】
また、粒状肥料１と比較粒状肥料１、粒状肥料２と比較粒状肥料２、粒状肥料３と粒状肥料３、粒状肥料４と比較粒状肥料４のそれぞれの肥料効果を比較するため、Ｐ2Ｏ5換算６ｋｇ／１０ａでの試験結果（茎葉部乾物重及び根部乾物重）を図３に表した。
更に、粒状肥料２、６、及び１０のＰ2Ｏ5換算６ｋｇ／１０ａでの試験結果（茎葉部乾物重及び根部乾物重）を図４に表した。
【００６０】
【表７】
0005361202.tif 000008
【００６１】
【表８】
0005361202.tif 000009
【００６２】
試験例５（肥料効果試験３）
栽培培地（ヤシガラ（６０％）：砂（２０％）：パーライト（１０％）：鹿沼土（１０％））１０リットルに、粒状肥料１〜１２、比較粒状肥料１〜１５をＰ2Ｏ5換算で３ｋｇ／１０００ｍ2、６ｋｇ／１０ａ又は１２ｋｇ／１０００ｍ2となるように加えて混和し、ワグネルポット（１／２０００００ｍ2、表面積５００ｃｍ2、２５２φ×３００ｍｍ）に入れた。トマト（品種：桃太郎ヨーク、タキイ種苗株式会社）の苗１株を定植し、根が活着するまで適宜水を与えた。活着後は液肥を潅水し、３０日間生育させた。
対象として、市販のリン酸質肥料（粒状過リン酸石灰：Ｐ2Ｏ5換算１７．５％）を用い、  Ｐ2Ｏ5換算で同量を施肥し、同条件で生育させた。
生育したトマトの茎葉部と根部のそれぞれの乾物重を測定し、市販のリン酸質肥料での結果を１００としたときの比率を求めた。
【００６３】
結果を表９及び表１０に示す。
【００６４】
また、粒状肥料１と比較粒状肥料１、粒状肥料２と比較粒状肥料２、粒状肥料３と粒状肥料３、粒状肥料４と比較粒状肥料４のそれぞれの肥料効果を比較するため、Ｐ2Ｏ5換算６ｋｇ／１０ａでの試験結果（茎葉部乾物重及び根部乾物重）を図５に表した。
更に、粒状肥料２、６、及び１０のＰ2Ｏ5換算６ｋｇ／１０００ｍ2での試験結果（茎葉部乾物重及び根部乾物重）を図６に表した。
【００６５】
【表９】
0005361202.tif 000010
【００６６】
【表１０】
0005361202.tif 000011
【００６７】
試験例６（健全生育試験）
ベントグラスの種子１gを２００ｍｌ容の三角フラスコに入れ、水を５ｍｌ加えて一様に分散させた後、高圧滅菌(１２０℃、２０分)した。これに供試菌（Pythium irregulare）を接種し５日間培養(２５℃)し、菌叢が種子全面を覆った後取り出し、滅菌乳鉢を用いて滅菌土(１２０℃、６０分)５０ｍｌと混和して２５℃の恒温器に１日保存して、接種源とした。作製した接種源を、その２０倍量の培土と混和して汚染土とした。
【００６８】
１２ｃｍシルバービニールポット（径１２ｃｍ、深さ１０ｃｍ）に培土（愛菜２号）２５０ｍｌを詰め、その上に汚染土２００ｍｌを詰め（深さ６ｃｍとなる）、軽く灌水した後、ネギ（鴨頭ネギ、中原採種場株式会社）の種子を２７粒（０．０５４ｇ）播種した。
【００６９】
播種後、供試肥料（粒状肥料１〜１２又は比較剤として粒状過リン酸石灰）をＰ2Ｏ5換算で６ｋｇ／１０００ｍ2又は１２ｋｇ／１０００ｍ2となるように表面処理した処理区と、供試肥料を処理しない汚染土無処理区を用意し、播種２１日後の各処理区又は汚染土無処理区の健全苗数を調査した。
【００７０】
健全苗は、汚染土を含まない培土で且つ供試肥料を処理しない無病土無処理区での正常生育苗と同等の生育状態のものとし、下記式に従って健全苗率を算出した。
【００７１】
【数１】
0005361202.tif 000012
【００７２】
結果を表１１に示した。
【００７３】
【表１１】
0005361202.tif 000013
【００７４】
以上の結果から、本発明の粒状肥料組成物は、作物の成長に優れた効果を有していることが明らかである。
【産業上の利用可能性】
【００７５】
本発明の粒状肥料組成物は優れた肥効を有し、本粒状肥料組成物を施用することにより栽培された作物は生育が良好である。
【図面の簡単な説明】
【００７６】
【図１】図１は、試験例３で得られた試験結果を示すグラフである。
【図２】図２は、試験例３で得られた試験結果を示すグラフである。
【図３】図３は、試験例４で得られた試験結果を示すグラフである。
【図４】図４は、試験例４で得られた試験結果を示すグラフである。
【図５】図５は、試験例５で得られた試験結果を示すグラフである。
【図６】図６は、試験例５で得られた試験結果を示すグラフである。
【図１】
0005361202.tif 000014
【図２】
0005361202.tif 000015
【図３】
0005361202.tif 000016
【図４】
0005361202.tif 000017
【図５】
0005361202.tif 000018
【図６】
0005361202.tif 000019